(57)【要約】【課題】貯湯タンク内の湯を供給先に供給する過程での湯温の低下を抑制する。【解決手段】湯吐出管４１は内管４１１及び外管４１２からなる二重管である。内管４１１は、貯湯タンク１４内にて鉛直方向に延び、貯湯タンク１４の底部１４ａを貫通して、下端部が底部１４ａの下方に突出する。外管４１２は、貯湯タンク１４内にて内管４１１の外周面を覆う。貯湯タンク１４内における外管４１２と内管４１１との間には断熱層４１５が形成されている。内管４１１の下端部は分配管路４２内まで延びている。内管４１１の熱伝導率は外管４１２の熱伝導率よりも高い。分配管路４２の外面は、分配管路上部断熱材７１及び分配管路下部断熱材７２によって覆われている。分配管路用ヒータ７３は、分配管路４２を加熱可能である。【選択図】図６
2015107202.tif 000002
【特許請求の範囲】
【請求項１】
湯を貯留する貯湯タンクと、
前記貯湯タンク内にて鉛直方向に延び、前記貯湯タンクの底部を貫通して、下端部が前記底部の下方に突出する内管、及び、前記貯湯タンク内にて前記内管の外周面を覆う外管を備える湯吐出管と、
前記内管の下端部に設置されて、前記内管からの湯を複数の給湯管路に分配する分配管路と、
を含んで構成され、
前記内管は、その下端部が、前記分配管路内まで延びていることを特徴とする給湯装置。
【請求項２】
前記内管は、その熱伝導率が、前記外管の熱伝導率よりも高いことを特徴とする請求項１に記載の給湯装置。
【請求項３】
前記分配管路の外面を覆う断熱材を更に含んで構成されることを特徴とする請求項１又は請求項２に記載の給湯装置。
【請求項４】
前記分配管路を加熱する加熱装置を更に含んで構成されることを特徴とする請求項１〜請求項３のいずれか１つに記載の給湯装置。
【請求項５】
前記貯湯タンク内において、前記外管と前記内管との間に断熱層が形成されていることを特徴とする請求項１〜請求項４のいずれか１つに記載の給湯装置。
【請求項６】
前記外管は、前記貯湯タンクの底部を貫通して下端部が前記底部の下方に突出し、
前記分配管路は、鉛直方向に延びて前記内管の下端部を収容する筒部を含んで構成され、
前記筒部は、前記外管の下端部と前記内管の下端部との間の空間に挿入されて、前記湯吐出管に嵌合することを特徴とする請求項１〜請求項５のいずれか１つに記載の給湯装置。
【請求項７】
前記分配管路と前記給湯管路との間に介装されて前記給湯管路を開閉する開閉弁を備えることを特徴とする請求項１〜請求項６のいずれか１つに記載の給湯装置。
【請求項８】
前記貯湯タンク内の湯を加熱する加熱部と、前記貯湯タンク内の下部に給湯用水を供給する水供給部とを更に含んで構成され、
前記内管は、その湯流入口が、前記貯湯タンク内の上部に位置することを特徴とする請求項１〜請求項７のいずれか１つに記載の給湯装置。
【発明の詳細な説明】
【技術分野】
【０００１】
本発明は、湯を貯留する貯湯タンクを備え、この貯湯タンク内の湯を湯吐出管を介して貯湯タンク外に供給する給湯装置に関する。
【背景技術】
【０００２】
特許文献１は、カップにホット飲料を注入して販売するカップ式飲料自動販売機を開示している。特許文献１では、カップ式飲料自動販売機が給湯装置を備え、給湯装置から供給される湯をホット飲料の調理に用いている。特許文献１では、給湯装置の貯湯タンクの外面に真空断熱層を形成することで、貯湯タンクの放熱の抑制を図っている。また、特許文献１では、貯湯タンク内の湯を複数の供給先に供給するために、給湯装置が複数の湯吐出管（導湯管）を備えている。これら湯吐出管は、各々の一端側が貯湯タンク内にて延在し、他端側が貯湯タンクの側面を貫通し、貯湯タンク外の出湯弁を介して、貯湯タンク外の給湯管路に接続している。給湯管路は、湯吐出管からの湯を供給先に導く。
【先行技術文献】
【特許文献】
【０００３】
【特許文献１】特開２００５−３１６５６０号公報
【発明の概要】
【発明が解決しようとする課題】
【０００４】
ところで、上述のような貯湯タンクについては、一般に、上面の放熱面積や底面の放熱面積に比べて、側面の放熱面積のほうが大きい。それゆえ、貯湯タンク全体での放熱量を抑制するためには、貯湯タンクの側面からの放熱量を最小限に抑えることが好ましい。
【０００５】
この点、特許文献１に記載の給湯装置では、複数の湯吐出管が貯湯タンクの側面及び真空断熱層を貫通している。それゆえ、貯湯タンク内の湯の熱が、真空断熱層を形成する貯湯タンクの内壁から複数の湯吐出管を介して貯湯タンク外壁へ伝熱し放熱される。すなわち、貯湯タンクの側面では、複数の湯吐出管による熱伝導によって、真空断熱層の断熱性能が低下する。従って、貯湯タンクの側面からの放熱量が増大し、ひいては、貯湯タンク全体での放熱量が増大しかねない。
また、貯湯タンクの側面からの放熱を抑制するべく、仮に、貯湯タンクの上面を貫通するように湯吐出管を設けると、貯湯タンク内の湯を吸い上げるためのポンプ等を新たに設置する必要があり、ひいては、給湯装置の構成が複雑化しかねず、また、製造コストが増大しかねない。
【０００６】
これらを勘案すると、湯吐出管の貯湯タンクへの設置に際しては、貯湯タンクの底面を貫通するように湯吐出管を設けることが好ましい。
しかしながら、一般に、貯湯タンクの側面の面積に比べて、貯湯タンクの底面の面積のほうが小さいので、貯湯タンクの底面を貫通するように複数の湯吐出管を設置することが難しい。これは小容量（例えば１．８Ｌ）の貯湯タンクにおいて顕著である。
【０００７】
この対策としては、貯湯タンク内にて鉛直方向に延びる１本の湯吐出管を貯湯タンクの底面に貫通させ、この湯吐出管の下端部に分配管路を設けて、この分配管路と複数の給湯管路とを接続することで、湯吐出管からの湯を複数の給湯管路に分配することが考えられる。
【０００８】
しかしながら、貯湯タンク内の底部の湯温は貯湯タンク内の上部の湯温に比べて低温であるため、この低温の湯に外面が接触している湯吐出管内を高温の湯が通過するときに、湯吐出管の内外で熱交換が発生して、この結果、湯吐出管内の湯温が低下するという問題があった。
また、湯吐出管内を通過した湯が貯湯タンク外の分配管路を通過するときには、分配管路の内外で熱交換が発生し、湯温が更に低下するという問題があった。
【０００９】
本発明は、このような実状に鑑み、貯湯タンク内の湯を供給先に供給する過程での湯温の低下を抑制することを目的とする。
【課題を解決するための手段】
【００１０】
そのため、本発明に係る給湯装置は、湯を貯留する貯湯タンクと、貯湯タンク内にて鉛直方向に延び、貯湯タンクの底部を貫通して、下端部が貯湯タンクの底部の下方に突出する内管、及び、貯湯タンク内にて内管の外周面を覆う外管を備える湯吐出管と、内管の下端部に設置されて、内管からの湯を複数の給湯管路に分配する分配管路と、を含んで構成される。内管は、その下端部が、分配管路内まで延びている。
【発明の効果】
【００１１】
本発明によれば、湯吐出管が、貯湯タンク内にて鉛直方向に延びる内管と、貯湯タンク内にて内管の外周面を覆う外管を備える。これにより、貯湯タンク内にて内管内を高温の湯が通過するときに内管の内外での熱交換が外管によって抑制されるので、貯湯タンク内にて湯吐出管内を通過する湯の温度低下を抑制することができる。
また本発明によれば、内管は、貯湯タンクの底部を貫通して、下端部が分配管路内まで延びている。これにより、貯湯タンク外にて内管内を高温の湯が通過するときに内管の内外での熱交換が分配管路によって抑制されるので、貯湯タンク外においても、複数の給湯管路に湯を分配する直前まで、湯温低下を抑制することができる。また、内管の下端部が分配管路内まで延びていることにより、分配管路内の湯が直接的に接触する部分が低減されるので、分配管路の内外での熱交換によって湯温が低下することを抑制することができる。
【図面の簡単な説明】
【００１２】
【図１】本発明の一実施形態におけるカップ式飲料自動販売機を示す正面図
【図２】同上実施形態におけるカップ式飲料自動販売機の概略構成図
【図３】同上実施形態における給湯装置の概略構成を示す分解斜視図
【図４】同上実施形態における給湯装置の概略構成を示す断面図
【図５】同上実施形態におけるマニホールド部の概略構成を示す分解斜視図
【図６】同上実施形態における湯吐出管と分配管路との接続状態を示す図
【発明を実施するための形態】
【００１３】
以下、本発明の実施の形態について、図面を参照して説明する。
図１は、本発明の一実施形態におけるカップ式飲料自動販売機を示す正面図である。図２はカップ式飲料自動販売機の概略構成を示す。
【００１４】
カップ式飲料自動販売機１（以下、単に「自動販売機１」と称する）は、カップにホット飲料を注入してこれを商品として販売するものである。また、自動販売機１は、カップに氷を供給すると共にホット飲料を注入することで、コールド飲料を商品として販売することも可能である。
自動販売機１の前面を開閉する外扉２には、コイン投入口３、商品選択ボタン４、及び、商品取出口５が設けられている。商品購入者は、コイン投入口３にコインを投入し、商品選択ボタン４を押して商品を選択し、商品取出口５の扉５ａを開放することにより、商品を取り出すことができる。商品取出口５内の下部にはベンドステージ２１（図２参照）が取り付けられており、このベンドステージ２１では、そこに載置されたカップにホット飲料が注入される。尚、ベンドステージ２１には、カップ供給機構２０からカップが供給され得る。
【００１５】
図２に示すように、自動販売機１は、複数（図では２つ）の水タンク１１ａ，１１ｂ、水リザーバ１２、製氷機１３、貯湯タンク１４、複数（図では２つ）のコーヒー豆キャニスタ１５ａ，１５ｂ、ミル１６、コーヒーブリュワ１７、複数（図では３つ）の原料キャニスタ１８ａ，１８ｂ，１８ｃ、複数（図では２つ）のミキシングボウル１９ａ，１９ｂ、カップ供給機構２０、ベンドステージ２１、排水バケツ２２、及び制御部２３を備えている。ここで、給湯装置１００は、自動販売機１を構成するものであり、貯湯タンク１４及び制御部２３を含んで構成される。
【００１６】
水タンク１１ａ，１１ｂは、それぞれ、飲用水（以下、単に「水」と称する）を貯留している。
水タンク１１ａから水リザーバ１２に至る水配管３０の途中には、水タンク１１ａから水リザーバ１２に向かって順に、給水ポンプ３１、水フィルタ３２、及び、電磁弁３３が介装されている。また、水配管３０は、水タンク１１ａと給水ポンプ３１との間にて分岐して、水タンク１１ｂに接続している。給水ポンプ３１及び電磁弁３３は、それぞれ、制御部２３によって作動が制御される。電磁弁３３を開いて、給水ポンプ３１を作動させると、水タンク１１ａ，１１ｂに貯留された水が、水配管３０を介して、水リザーバ１２に供給される。尚、本実施形態では、水リザーバ１２に供給される水が、水タンク１１ａ，１１ｂに貯留されているが、水リザーバ１２に水を供給する手法はこれに限らず、例えば、自動販売機１の外部の水道配管と水リザーバ１２とを接続可能な水配管を予め設けて、この水配管を介して、水道水を水リザーバ１２に供給するようにしてもよい。
【００１７】
水リザーバ１２は、製氷機１３及び貯湯タンク１４に水を供給するためのものである。
水リザーバ１２から貯湯タンク１４に至る水配管３４の途中には、水リザーバ１２から貯湯タンク１４に向かって順に、製氷機１３の製氷部１３ａ、給水ポンプ３５、及び、逆止弁３６が介装されている。
【００１８】
製氷機１３は製氷部１３ａと貯氷部１３ｂとを備える。製氷部１３ａでは、水リザーバ１２から供給された水で氷を生成する。貯氷部１３ｂは製氷部１３ａで生成された氷を貯蔵する。尚、自動販売機１の内部には、図示しない冷凍サイクルが設けられている。この冷凍サイクルは、図示しない圧縮機、凝縮器、及び蒸発器などを含んで構成されており、この蒸発器によって製氷部１３ａ内の水が冷却されて、氷が生成される。製氷機１３は、コールド飲料を販売するときに、貯氷部１３ｂは貯蔵している氷を、ベンドステージ２１に載置されているカップに、氷供給管１３ｃを介して供給する。
【００１９】
給水ポンプ３５は制御部２３によって作動が制御される。後述するフロート５７を介して、貯湯タンク１４内の水位低下が検出されると、給水ポンプ３５が作動して、水リザーバ１２に貯留された水が、水配管３４を介して、貯湯タンク１４に供給される。
貯湯タンク１４では、水配管３４からの水（給湯用水）が加熱されて高温（例えば９５℃）の湯が生成される。貯湯タンク１４、及び、これを含んで構成される給湯装置１００の詳細については後述する。
【００２０】
貯湯タンク１４内の湯を貯留タンク１４外に吐出するための湯吐出管４１は、貯湯タンク１４内にて鉛直方向に延在して、貯湯タンク１４の底部１４ａを貫通しており（図４〜図６参照）、その上端が貯湯タンク１４内で開口して、下端が分配管路４２に接続している。
分配管路４２には、複数（図では３つ）の給湯管路４３ａ，４３ｂ，４３ｃの各々の一端が、電磁弁４４ａ，４４ｂ，４４ｃを介して接続されている。すなわち、分配管路４２は、湯吐出管４１（後述する内管４１１）からの湯を給湯管路４３ａ，４３ｂ，４３ｃに分配し得る。給湯管路４３ａの他端はコーヒーブリュワ１７に接続されている。給湯管路４３ｂの他端はミキシングボウル１９ａに接続されている。給湯管路４３ｃの他端はミキシングボウル１９ｂに接続されている。電磁弁４４ａ，４４ｂ，４４ｃは、各々の作動（開閉動作）が、制御部２３によって制御される。ここで、電磁弁４４ａ，４４ｂ，４４ｃが、それぞれ、本発明の開閉弁に対応するものであり、分配管路４２と給湯管路４３ａ，４３ｂ，４３ｃとの間に介装されて、給湯管路４３ａ，４３ｂ，４３ｃを各別に開閉する。
【００２１】
コーヒー豆キャニスタ１５ａ，１５ｂはそれぞれコーヒー豆を収容している。コーヒー豆キャニスタ１５ａ，１５ｂの少なくとも一方から吐出される所定量のコーヒー豆は、ミル１６で挽かれてコーヒー粉となる。コーヒーブリュワ１７は、ミル１６からのコーヒー粉と、給湯管路４３ａからの湯とを混合して、レギュラーコーヒー（コーヒー抽出液）を抽出する。
コーヒーブリュワ１７からミキシングボウル１９ａに至る供給管４５の途中には、ポンプ４６が介装されている。ポンプ４６は、コーヒーブリュワ１７からのレギュラーコーヒーを供給管４５を介してミキシングボウル１９ａに送り込む機能を有する。
【００２２】
原料キャニスタ１８ａ，１８ｂには、例えば、クリームと砂糖とが各別に収容されている。ミキシングボウル１９ａでは、ミルク、クリーム、湯がレギュラーコーヒーに適宜混合される。このようにして調理されたレギュラーコーヒー（ホット飲料）は、ベンドステージ２１に載置されているカップに、供給管４７を介して供給される。
原料キャニスタ１８ｃには例えばココアなどのプリミックスが収容されている。ミキシングボウル１９ｂでは、プリミックスと湯とが混合される。このようにして調理されたホット飲料は、ベンドステージ２１に載置されているカップに、供給管４８を介して供給される。
【００２３】
次に、給湯装置１００の概略構成について、図３〜図６を用いて説明する。
図３は、給湯装置１００の概略構成を示す分解斜視図である。図４（Ａ）は給湯装置１００の概略構成を示す断面図であり、主として、貯湯タンク１４の内部構造を示している。図４（Ｂ）は、図４（Ａ）のＩ−Ｉ断面のうち、メインヒータ５１、サブヒータ５２、下部温度センサ５３、上部温度センサ５４のみを示している。図５は、マニホールド部５８の概略構成を示す分解斜視図である。図６は、湯吐出管４１と分配管路４２との接続状態を示す図である。
【００２４】
給湯装置１００は、貯湯タンク１４、メインヒータ５１、サブヒータ５２、下部温度センサ５３、上部温度センサ５４、導水管３４ａ、湯吐出管４１、オーバーフロー配管５５、ドレン配管５６、フロート５７、マニホールド部５８、及び、制御部２３（図２参照）を含んで構成される。また、マニホールド部５８は、分配管路４２、電磁弁４４ａ，４４ｂ，４４ｃ、分配管路上部断熱材７１、分配管路下部断熱材７２、分配管路用ヒータ７３、及び、ヒータ断熱材７４を含んで構成される。
【００２５】
貯湯タンク１４は、上面及び下面が開口した円筒状の本体部１４ｂと、本体部１４ｂの下面開口を塞ぐ底部１４ａと、本体部１４ｂの上面開口を塞ぐ上蓋部１４ｃとからなる。
本体部１４ｂの外周面は、真空二重管からなる真空ジャケット６０によって覆われている。底部１４ａの外面は、発泡ポリプロピレン等の断熱材６１によって覆われており、また、上蓋部１４ｃの外面は、発泡ポリプロピレン等の断熱材６２によって覆われている。
【００２６】
導水管３４ａは、水配管３４のうち貯湯タンク１４側端部を構成するものである。導水管３４ａは鉛直方向に延在して、貯湯タンク１４の底部１４ａ及び断熱材６１を貫通している。導水管３４ａは、その上端が、貯湯タンク１４内のうち、底部１４ａの近傍にて開口している。この開口部の近傍の底部１４ａには、ブラケット３４ｂを介してバッフル板３４ｃが設けられている。バッフル板３４ｃは、導水管３４ａの上面開口部から上方に向かう水流の向きを水平方向に変更する機能を有する。
【００２７】
オーバーフロー配管５５は貯湯タンク１４内にて鉛直方向に延在して、貯湯タンク１４の底部１４ａ及び断熱材６１を貫通している。オーバーフロー配管５５は、その上端が、貯湯タンク１４内のうち、湯吐出管４１の上端より上方にて開口している。オーバーフロー配管５５の下端は、図示しない配管の一端に接続されている。この配管の他端は、排水バケツ２２（図２参照）に達している。それゆえ、貯湯タンク１４内の水位がオーバーフロー配管５５の上端位置より高位になると、貯湯タンク１４内の湯がオーバーフロー配管５５を介して、排水バケツ２２内に排出される。
【００２８】
ドレン配管５６は鉛直方向に延在して、貯湯タンク１４の底部１４ａ及び断熱材６１を貫通している。ドレン配管５６は、その上端が、貯湯タンク１４内のうち、底部１４ａの近傍にて開口している。ドレン配管５６の下端は、図示しない配管の一端に接続されている。この配管の途中には電磁弁（図示せず）が介装され、この配管の他端は排水バケツ２２（図２参照）に達している。
【００２９】
フロート５７は、貯湯タンク１４内の上部に設けられている。フロート５７は、貯湯タンク１４内の水位の上下動に追従して昇降する。フロート５７の位置は、図示しないセンサを介して測定され、このフロート５７の位置（すなわち、貯湯タンク１４内の水位）に対応する信号が、図示しない信号線を介して、制御部２３に伝達される。
【００３０】
下部温度センサ５３は、貯湯タンク１４内の下部の湯温を測定するものであり、例えばサーミスタである。下部温度センサ５３は、貯湯タンク１４内にて鉛直方向に延在する棒状であり、その下端部が貯湯タンク１４の底部１４ａに固定されている。
上部温度センサ５４は、貯湯タンク１４内の上部の湯温を測定するものであり、例えばサーミスタである。上部温度センサ５４は、貯湯タンク１４内にて鉛直方向に延在する棒状であり、その上端部が貯湯タンク１４の上蓋部１４ｃに固定されている。
【００３１】
電気ヒータであるメインヒータ５１は、正面から見て上側開放のコ字状をなし（図４（Ａ）参照）、側面から見てＬ字状をなしている（図４（Ｂ）参照）。
メインヒータ５１は、上端部が貯湯タンク１４の上蓋部１４ｃに固定されて、鉛直方向に延在する左右一対のヒータ部分５１ａ，５１ｂと、これらヒータ部分の下端にて連続し、かつ、上面から見て後側開放のコ字状をなすヒータ下部５１ｃとにより構成されている。ここで、下部温度センサ５３は、上面視で、メインヒータ５１のヒータ下部５１ｃのコ字状断面の略中央に位置するように配置されている。
メインヒータ５１は、サブヒータ５２よりも大きな電力を消費する。例えば、メインヒータは７００Ｗであり、サブヒータは３００Ｗである。
【００３２】
電気ヒータであるサブヒータ５２は、正面から見て上側開放のＵ字状をなしており（図４（Ａ）参照）、また、側面からみて、メインヒータ５１のヒータ部分５１ａ，５１ｂの前方、かつ、ヒータ下部５１ｃの前端部の上方に位置している（図４（Ｂ）参照）。
ここで、メインヒータ５１及びサブヒータ５２と、下部温度センサ５３及び上部温度センサ５４とについては、メインヒータ５１自体の温度と、サブヒータ５２自体の温度とが、これら温度センサ５３，５４に直接的に影響しないように、互いに離間して配置されている。また、メインヒータ５１及びサブヒータ５２は本発明の「加熱部」に対応するものであり、貯湯タンク１４内の湯を加熱し得る。
【００３３】
制御部２３は、下部温度センサ５３で測定された湯温に対応する信号と、上部温度センサ５４で測定された湯温に対応する信号とを、図示しない信号線を介して受信する。また、制御部２３は、下部温度センサ５３で測定された湯温と、上部温度センサ５４で測定された湯温とを用いて、メインヒータ５１及びサブヒータ５２の作動制御を行う。
【００３４】
分配管路４２は例えば樹脂製である。分配管路４２は、鉛直方向に延びる円筒状の筒部４２０と、筒部４２０の下端部から３方向にそれぞれ分岐した第１管路４２１，第２管路４２２，第３管路４２３と、を含んで構成される。第１管路４２１と給湯管路４３ａとの間には電磁弁４４ａが介装されている。第２管路４２２と給湯管路４３ｂとの間には電磁弁４４ｂが介装されている。第３管路４２３と給湯管路４３ｃとの間には電磁弁４４ｃが介装されている。
筒部４２０の上部の外周面に予め形成された溝には、Ｏリング４２０ａが装着されている。また、筒部４２０の下部の内周面に予め形成された溝には、Ｏリング４２０ｂが装着されている。
【００３５】
湯吐出管４１は、内管４１１と外管４１２とからなる二重管である。
内管４１１は、その湯流入口（上面開口部）が貯湯タンク１４内の上部に位置している。また、内管４１１は、貯湯タンク１４内にて鉛直方向に延び、貯湯タンク１４の底部１４ａを貫通して、下端部が貯湯タンク１４の底部１４ａの下方に突出している。また、内管４１１は、その下端部が分配管路４２内まで延びている。本実施形態では、内管４１１の下端部は、貯湯タンク１４の底部１４ａの下方にて外部に露出しないように、分配管路４２の筒部４２０内に収容されている。また、内管４１１の下端には、開口部４１１ａ，４１１ｂ（図示せず），４１１ｃ，４１１ｄが予め形成されている。開口部４１１ａは第１管路４２１に向かって開口している。開口部４１１ｂは第２管路４２２に向かって開口している。開口部４１１ｃは第３管路４２３に向かって開口している。開口部４１１ｄは下方に向かって開口している。内管４１１の内部は、開口部４１１ａ，４１１ｂ，４１１ｃ，４１１ｄを介して、第１管路４２１、第２管路４２２及び第３管路４２３の各々の内部に連通する。ここで、内管４１の下端部の外周面と筒部４２０の内周面との間のシール性は、Ｏリング４２０ｂによって確保され得る。
【００３６】
外管４１２は、貯湯タンク１４内にて内管４１１の外周面を覆っている。また、外管４１２は、貯湯タンク１４の底部１４ａを貫通して、下端部が貯湯タンク１４の底部１４ａの下方に突出して拡径している。
分配管路４２の筒部４２０の上部は、外管４１２の下端部（拡径部）と内管４１１の下端部との間の空間に挿入されることで、湯吐出管４１に嵌合する。ここで、外管４１２の下端部の内周面と筒部４２０の上部の外周面との間のシール性は、Ｏリング４２０ａによって確保され得る。
【００３７】
貯湯タンク１４内における外管４１２の上端部と内管４１１の上端部との間にはシール部材４１３が介装されている。貯湯タンク１４の底部１４ａの近傍における外管４１２と内管４１１との間にはシール部４１４が設けられている。
貯湯タンク１４内における外管４１２と内管４１１との間には断熱層４１５が形成されている。断熱層４１５は、外管４１２の内周面、内管４１１の外周面、シール部材４１３、及びシール部４１４によって区画形成されている。断熱層４１５については、真空断熱であることが好ましいが、空気断熱であってもよい。
【００３８】
湯吐出管４１の内管４１１は、その熱伝導率が、外管４１２の熱伝導率よりも高い。ここで、内管４１１は、例えば、銀メッキされた銅製、アルマイト加工が施されたアルミ製、又は、黄銅製である。また、外管４１２は、例えば、チタン製、ＳＵＳ３０４等のステンレス製、フッ素樹脂製、又は、シリコン樹脂製である。
【００３９】
分配管路４２には、それを加熱するための加熱装置として、電気ヒータである分配管路用ヒータ７３が設置されている。また、図示は省略するが、自動販売機１内には、マニホールド部５８近傍の気温を測定する温度センサが設置されている。制御部２３は、この温度センサで測定された気温に対応する信号を、図示しない信号線を介して受信する。また、制御部２３は、この温度センサで測定された気温に基づいて、分配管路用ヒータ７３の作動制御を行う。
【００４０】
分配管路４２及び分配管路用ヒータ７３は、分配管路上部断熱材７１と分配管路下部断熱材７２とによって、周囲が覆われている。分配管路上部断熱材７１及び分配管路下部断熱材７２は、例えば発泡ポリプロピレン製である。ここで、分配管路上部断熱材７１及び分配管路下部断熱材７２が、本発明の「分配管路の外面を覆う断熱材」に対応する。
分配管路下部断熱材７２と分配管路用ヒータ７３との間にはヒータ断熱材７４が介装されている。ヒータ断熱材７４は、分配管路下部断熱材７２よりも高い耐熱性を有する材料によって形成されている。
【００４１】
次に、給湯装置１００の作動の一例について説明する。
自動販売機１が商品を販売可能な状態において、コイン投入口３にコインが投入されて商品選択ボタン４が押されると、選択された商品に応じて、電磁弁４４ａ，４４ｂ，４４ｃの少なくとも１つが開弁して、貯湯タンク１４内から、湯吐出管４１及び分配管路４２と給湯管路４３ａ，４３ｂ，４３ｃの少なくとも１つとを介して、供給先（具体的には、コーヒーブリュワ１７、ミキシングボウル１９ａ，１９ｂの少なくとも１つ）に湯が供給される。これに伴い、貯湯タンク１４内の水位が低下したことをフロート５７の降下によって検知するので、これを補うように、水リザーバ１２から水配管３４（導水管３４ａ）及び給水ポンプ３５を介して貯湯タンク１４内の下部に水が供給される。ここで、導水管３４ａが本発明の「水供給部」に対応して、貯湯タンク１４内の下部に給湯用水を供給する。上述の供給先に所定量の湯が供給されると、開いていた電磁弁（電磁弁４４ａ，４４ｂ，４４ｃの少なくとも１つ）が閉弁する。また、貯湯タンク１４内の水位の低下が解消されて、所定の水位（基準水位）まで回復すると、給水ポンプ３５の作動が停止される。尚、貯湯タンク１４内の湯については、下部温度センサ５３で測定された湯温と、上部温度センサ５４で測定された湯温とに基づいて、メインヒータ５１及びサブヒータ５２を適宜作動させることにより、高温状態が維持され得る。
【００４２】
一方、自動販売機１の販売待機時には、電磁弁４４ａ，４４ｂ，４４ｃが閉弁していることにより、分配管路４２内に留まる湯の温度が徐々に低下しかねない。この対策として、本実施形態では、自動販売機１の販売待機時に、制御部２３は、マニホールド部５８近傍の気温が所定温度以下になると、分配管路用ヒータ７３を作動させる。ここで、所定温度とは、分配管路用ヒータ７３を作動させるか否かを判定するための閾値である。このようにして分配管路用ヒータ７３を作動させることにより、自動販売機１の販売待機時であっても、分配管路４２内の湯の温度が低下することを抑制することができる。
【００４３】
本実施形態によれば、給湯装置１００は、湯を貯留する貯湯タンク１４と、貯湯タンク１４内にて鉛直方向に延び、貯湯タンク１４の底部１４ａを貫通して、下端部が底部１４ａの下方に突出する内管４１１、及び、貯湯タンク１４内にて内管４１１の外周面を覆う外管４１２を備える湯吐出管４１と、内管４１１の下端部に設置されて、内管４１１からの湯を複数の給湯管路４３ａ，４３ｂ，４３ｃに分配する分配管路４２と、を含んで構成される。これにより、貯湯タンク１４内にて内管４１１内を高温の湯が通過するときに内管４１１の内外での熱交換が外管４１２によって抑制されるので、貯湯タンク１４内にて湯吐出管４１内を通過する湯の温度低下を抑制することができる。
【００４４】
また本実施形態によれば、内管４１１は、その下端部が、分配管路４２内まで延びている。これにより、貯湯タンク１４外にて内管４１１内を高温の湯が通過するときに内管４１１の内外での熱交換が分配管路４２によって抑制されるので、貯湯タンク１４外においても、給湯管路４３ａ，４３ｂ，４３ｃに湯を分配する直前まで、湯温低下を抑制することができる。
【００４５】
また本実施形態によれば、内管４１１は、その熱伝導率が、外管４１２の熱伝導率よりも高い。これにより、貯湯タンク１４内では、内管４１１の内外での熱交換を外管４１２によって良好に抑制することができる。また、高い熱伝導率の内管４１１が分配管路４２内まで延びているので、分配管路４２内の湯が直接的に接触する部分が低減され、この結果、分配管路４２の内外での熱交換によって湯温が低下することを抑制することができる。
【００４６】
また本実施形態によれば、給湯装置１００は、分配管路４２の外面を覆う断熱材（分配管路上部断熱材７１及び分配管路下部断熱材７２）を更に含んで構成される。これにより、比較的大きな放熱面積を有する分配管路４２からの放熱量を低減することができるので、分配管路４２での湯温低下を抑制することができる。
【００４７】
また本実施形態によれば、給湯装置１００は、分配管路４２を加熱する加熱装置（分配管路用ヒータ７３）を更に含んで構成される。これにより、例えば自動販売機１の販売待機時であっても、分配管路用ヒータ７３を作動させることにより、分配管路４２での湯温低下を抑制することができる。
【００４８】
また本実施形態によれば、貯湯タンク１４内において、外管４１２と内管４１１との間に断熱層４１５が形成されている。これにより、貯湯タンク１４内では、内管４１１の内外での熱交換を断熱層４１５によって抑制することができる。
【００４９】
また本実施形態によれば、外管４１２は、貯湯タンク１４の底部１４ａを貫通して下端部が貯湯タンク１４の底部１４ａの下方に突出している。分配管路４２は、鉛直方向に延びて内管４１１の下端部を収容する筒部４２０を含んで構成される。筒部４２０は、外管４１２の下端部と内管４１１の下端部との間の空間に挿入されて、湯吐出管４１に嵌合する。これにより、湯吐出管４１と分配管路４２とを比較的簡素な構成で接続させることができる。
【００５０】
また本実施形態によれば、給湯装置１００は、分配管路４２と給湯管路４３ａ，４３ｂ，４３ｃとの間に介装されて給湯管路４３ａ，４３ｂ，４３ｃを開閉する開閉弁（電磁弁４４ａ，４４ｂ，４４ｃ）を備える。それゆえ、電磁弁４４ａ，４４ｂ，４４ｃが閉弁状態であって分配管路４２内に湯が留まっている状態であっても、分配管路用ヒータ７３を作動させることにより、分配管路４２内の湯の温度が低下することを抑制することができる。
【００５１】
また本実施形態によれば、給湯装置１００は、貯湯タンク１４内の湯を加熱する加熱部（メインヒータ５１及びサブヒータ５２）と、貯湯タンク１４内の下部に給湯用水を供給する水供給部（導水管３４ａ）とを更に含んで構成される。内管４１１は、その湯流入口（上面開口部）が、貯湯タンク１４内の上部に位置する。これにより、貯湯タンク１４内の高温の湯を取り出して供給先（コーヒーブリュワ１７、ミキシングボウル１９ａ，１９ｂ等）に供給することができる。
【００５２】
尚、本実施形態では、給湯装置１００をカップ式飲料自動販売機１に適用した例を説明したが、給湯装置１００の適用例はこれに限らず、例えば、給湯装置１００を給茶機等に適用してもよい。
【符号の説明】
【００５３】
１  カップ式飲料自動販売機
２  外扉
３  コイン投入口
４  商品選択ボタン
５  商品取出口
５ａ  扉
１１ａ，１１ｂ  水タンク
１２  水リザーバ
１３  製氷機
１３ａ  製氷部
１３ｂ  貯氷部
１３ｃ  氷供給管
１４  貯湯タンク
１４ａ  底部
１４ｂ  本体部
１４ｃ  上蓋部
１５ａ，１５ｂ  コーヒー豆キャニスタ
１６  ミル
１７  コーヒーブリュワ
１８ａ，１８ｂ，１８ｃ  原料キャニスタ
１９ａ，１９ｂ  ミキシングボウル
２０  カップ供給機構
２１  ベンドステージ
２２  排水バケツ
２３  制御部
３０  水配管
３１  給水ポンプ
３２  水フィルタ
３３  電磁弁
３４  水配管
３４ａ  導水管
３４ｂ  ブラケット
３４ｃ  バッフル板
３５  給水ポンプ
３６  逆止弁
４１  湯吐出管
４２  分配管路
４３ａ，４３ｂ，４３ｃ  給湯管路
４４ａ，４４ｂ，４４ｃ  電磁弁
４５  供給管
４６  ポンプ
４７，４８  供給管
５１  メインヒータ
５１ａ，５１ｂ  ヒータ部分
５１ｃ  ヒータ下部
５２  サブヒータ
５３  下部温度センサ
５４  上部温度センサ
５５  オーバーフロー配管
５６  ドレン配管
５７  フロート
６０  真空ジャケット
６１，６２  断熱材
７１  分配管路上部断熱材
７２  分配管路下部断熱材
７３  分配管路用ヒータ
７４  ヒータ断熱材
１００  給湯装置
４１１  内管
４１１ａ，４１１ｂ，４１１ｃ，４１１ｄ  開口部
４１２  外管
４１３  シール部材
４１４  シール部
４１５  断熱層
４２０  筒部
４２０ａ，４２０ｂ  Ｏリング
４２１  第１管路
４２２  第２管路
４２３  第３管路
【図１】
2015107202.tif 000003
【図２】
2015107202.tif 000004
【図３】
2015107202.tif 000005
【図４】
2015107202.tif 000006
【図５】
2015107202.tif 000007
【図６】
2015107202.tif 000008